(57)【特許請求の範囲】
【請求項１】
レーザ発振器と、前記レーザ発振器から出力するレーザの出力を制御するレーザ制御部と、前記レーザ発信器および前記レーザ制御部とを内部に備えた本体部と、前記本体部の底部を覆って横方向に少なくとも一部突き出した鍔部を備え床面とキャスタを介して相対してなる台座と、装置操作者の入力により前記レーザ制御部からレーザ出力のオン、オフを制御するフットスイッチとを備え、前記台座の鍔部の上部に前記フットスイッチを収納するための凹部を設け、前記フットスイッチを前記凹部に収納した状態のままで操作可能なレーザ装置。
【請求項２】
前記フットスイッチの底部に設けた孔部と、前記凹部に前記孔部と嵌合可能なフックとを備え、前記フックと前記孔部とを嵌合することで前記フットスイッチを前記凹部に保持する請求項１に記載のレーザ装置。
【請求項３】
前記凹部の底面は前記フットスイッチを定置した場合、前記フットスイッチの操作レバ−先端と前記レーザ装置を設置しかつ前記フットスイッチ直前の床面との最短距離が２５ｃｍ以下であることを特徴とする請求項１または２記載のレーザ装置。
【発明の詳細な説明】
【技術分野】
【０００１】
本発明はレーザ装置に関し、レーザ出力のオン、オフを制御するフットスイッチをレーザ装置機器本体の底部外郭に収納させるためのスペースを設けた発明である。
【背景技術】
【０００２】
近年、医療用、歯科用などのレーザ装置（レーザ機器とも言う）が出血や痛みを伴わず治療効果にも優れていることからその需要が伸びてきている。かかるレーザ機器は従来一定の場所に設置し使用することが多かったが、最近はそのオン／オフのためにフットスイッチを有したものも考えられ（例えば特許文献１参照）、製造されるようになってきた。
【０００３】
ただし、一般にフットスイッチの収納は、機器そのものには何ら影響を与えるものではないので、あまり関心が払われていない。フットスイッチ収納部を有しない機器は床面に置かれ、移動中は、ケーブルを取っ手等の突起部に引っ掛けたり吊り下げたりして使用されている。またレーザ装置は高額な機器であることから医療現場においては、1台のレーザ装置を有効活用するために、複数の治療台間を頻繁に移動させることがある。
【特許文献１】特開２００２−２５３５７１号公報
【発明の開示】
【発明が解決しようとする課題】
【０００４】
しかしながら、スペース的にも余裕がないため、フットスイッチが適切に持ち運びされない為に、機器本体に引っ掛けたり吊り下げたりする取り扱い作業もわずらわしいうえ、床面を転がったりして無理な負荷が加わって接続部が損傷して断線してしまう要因ともなっていた。断線すると誤って操作される危険の可能性もあった。また、図４に示すように、フットスイッチケーブル３を本体側面に引っ掛けた場合、レーザ装置下部の傾斜面にフットスイッチがかろうじて接するものもあるが、固定できていないためこの状態でフットスイッチを操作することは不可能であった。
【０００５】
本発明は上記課題を解決する為に、フットスイッチを容易に収納でき、収納した状態で安心して場所を移動でき、損傷・断線の心配のない高品質、操作性に優れたレーザ装置を提供することを目的とする。
【課題を解決するための手段】
【０００６】
本発明のレーザ装置は、上記課題を解決する為に、レーザ発振器と、前記レーザ発振器から出力するレーザの出力を制御するレーザ制御部と、前記レーザ発信器および前記レーザ制御部トを内部に備えた本体部と、前記本体部の底部を覆って横方向に少なくとも一部突き出した鍔部を備え床面とキャスタを介して相対してなる台座と、装置操作者の入力により前記レーザ制御部からレーザ出力のオン、オフを制御するフットスイッチとを備え、前記台座の鍔部の上部に前記フットスイッチを置くための凹部を設けている。
【０００７】
この構成により、レーザ装置の移動にあたり、安定性良くフットスイッチを定置できるスペースを設けることができ、さらに操作性、デザイン性に優れた形で設けることができた。
【０００８】
また、本発明のレーザ装置は、前記フットスイッチの底部に嵌合する保持手段を前記凹部の底面に設けている。
【０００９】
この構成により、移動時に若干の振動、衝撃等があっても、凹部から落下することがなく、安心して、場所を移動できる。
【００１０】
また、本発明のレーザ装置は、前記凹部の底面は前記フットスイッチを定置した場合、前記フットスイッチの操作レバ−先端と前記レーザ装置を設置しかつ前記フットスイッチ直前の床面との最短距離が２５ｃｍ以下であるように、凹部を形成している。
【００１１】
この構成により、医療現場ではフットスイッチを本体の凹部から取り外すことなく収納させたままでフットスイッチレバーを操作することも可能である。
【発明の効果】
【００１２】
以上のように、本発明によると、フットスイッチを容易に収納でき、収納した状態で安心して場所を移動でき、損傷・断線の心配のない高品質、操作性に優れたレーザ装置を提供することができる。
【発明を実施するための最良の形態】
【００１３】
以下、本発明の実施例を、図１から図４を用いて説明する。
【００１４】
図1は、レーザ装置の外観を示す斜視図で、フットスイッチを収納していない状態を示す。本体１の内部にはレーザ発振器、及びレーザの出力を制御するレーザ制御部が組み込まれている。制御されたレーザはレーザ導波管（ファイバーとも言う）を介してプローブの先端から患者患部に照射させる。フットスイッチ４は、フットスイッチカバー５で覆われていて、一般的にこの両者を合わせてフットスイッチと呼称されている（この場合、フットスイッチ５ａと示す）。フットスイッチ５ａは、ケーブル３を介して本体側面の引き出し口2から入って本体に接続されている。
【００１５】
操作者は通常は、この図１の状態でフットスイッチ５ａを操作し、必要に応じてフットスイッチ４をオン／オフし、レーザ光を照射する。フットスイッチ収納部６は本発明の底部台座に設けた凹部（以下くぼみ部ともいう）であり、フットスイッチ５ａの保持手段であるフック７はフットスイッチカバー5の底裏面に設けた孔部に嵌合させることにより、医療現場での移動中にフットスイッチ５ａがずり落ちることを防止させることができる。
【００１６】
図２は、フック７の拡大図である。フック７はネジ９でフットスイッチ収納部６に固定されている。フットスイッチカバー５の底面に設けられた異形孔10に嵌合する。フットスイッチ収納部６は傾斜させることにより、フットスイッチ５ａを凹部に収納させた状態でも足で踏み易いようにしている。
【００１７】
凹部に収納した状態でのフットスイッチの操作レバ−先端と、レーザ装置を設置したフットスイッチ直前の床面との最短距離が２５ｃｍ以下であるように、凹部を形成したことで、医療現場ではフットスイッチ５ａを本体の凹部から取り外すことなく収納させたままでフットスイッチレバーを操作することも可能である。操作者がかかとを床に置いた状態で、足首を軽く曲げる程度でフットスイッチレバーの先端につま先が係り、力が入る位置を考慮し２５ｃｍ以下としている。
【００１８】
本実施の形態においては傾斜角度を６°にしているが、さらにキャスタの大きさや、底部台座（本体部の底部を覆って横方向に少なくとも一部突き出した鍔部）の厚み等に対応して、この傾斜角度は任意に選ぶことができる。
【００１９】
図３は、フットスイッチを収納させた状態を示す。ケーブル３は、ケーブルフック８にひっかけて床面から持ち上げ、フットスイッチを所定の台座に設けたくぼみに、きれいに収納させることができる。前述の発明の効果で述べたように操作者は、フットスイッチが正常位で収納されている為に、この状態で足を差し入れて操作することも可能となった。
【００２０】
また、多くの場合は椅子に座ってレーザ装置を操作するため、操作者者の邪魔にならないように本体前部を大きくえぐって膝スペースを確保し、更に操作スイッチを配置した上パネル部は手前に出して操作性を向上させた。さらに、レーザ治療の現場にあっても患者の不安な気持ちを和らげる意味でも、フットスイッチ収納部６とその傾斜、フットスイッチカバー５の形状、底部台座（本体部の底部を覆って横方向に少なくとも一部突き出した鍔部）も含め全体的にデザインにも注力することで、機能とデザインの両立を図っている。
【産業上の利用可能性】
【００２１】
以上のように、本発明のレーザ装置は、操作後は粗雑に扱われがちなフットスイッチの収納を実現させたものであり、さらには、本体部に収納させたままでも操作可能な位置に収納させることにより、フットスイッチを引き出して操作させることとの両立を可能としたことを特徴とするもので、フットスイッチを使用し、かつ本体を頻繁に移動する可能性のある装置類にも有用である。
【図面の簡単な説明】
【００２２】
【図１】本発明のレーザ装置の外観を示す斜視図
【図２】本発明のレーザ装置の収納部及びフックの断面拡大図
【図３】本発明のレーザ装置のフットスイッチを収納した状態の外観斜視図
【図４】従来のレーザ装置の外観図
【符号の説明】
【００２３】
１    レーザ機器本体
２    フットスイッチケーブル引出し口
３    フットスイッチケーブル
４，５ａ    フットスイッチ
５    フットスイッチカバー
６    台座に設けたフットスイッチ収納部
７    フック
８    ケーブルフック
９    ネジ
10    フットスイッチカバー底面のフックとの嵌合孔
【図１】
0004613780.tif 000002
【図２】
0004613780.tif 000003
【図３】
0004613780.tif 000004
【図４】
0004613780.tif 000005